(57)【要約】【課題】  自動車の車検や買取り、或いは、キズ等の修理に際して、依頼者と業者が直接対面することなく、また、依頼者がわざわざ自動車を工場等へ持ち込んだり、業者が依頼者宅等に出向いたりすることなく、各料金や買取代金を予め納得した額に決めることができると共に、各料金の支払いも前金制にして、明朗会計の基で各業務を進めることを可能にした自動車用業務見積り査定方法を提供する。【解決手段】  管理センター１１５が査定スペース１００に設けたリモートカメラ１１０を遠隔操作して、査定スペース１００に入場させた自動車ＭＴを撮影し、自動車ＭＴの車検料金や買取代金、修理料金を査定して、各料金を見積り、各料金が支払われた場合、及び、買取り代金の合意があった場合に、各業務の契約を成立させる。【選択図】    図２
2006221311.tif 000002
【特許請求の範囲】
【請求項１】
無人にて自動車の車検業務の見積り業務と、車検業務の請負手続を行うことができる自動車用業務見積り査定方法であって、
依頼者が、リモートカメラを備えた査定スペース内に車検を必要とする自動車を入場させると共に、管理センターに対して自己の携帯電話又はその他の通信手段を用いて車検業務に付いて問い合わせると、管理センターが依頼者に対して当該自動車の車検証を上記査定スペースのリモートカメラに提示するように指示する工程と、
管理センターが、リモートカメラを遠隔的にズームアップ操作して、当該自動車の車体の状況と提示された車検証の確認及び記録を行う工程と、
管理センターが、上記リモートカメラで確認した自動車の車体状況と車検証の内容から、車検料金を見積る工程と、
見積った車検料金を、管理センターが依頼者の携帯電話又はその他の通信手段を通して依頼者側に通信する工程と、
依頼者から携帯電話又はその他の通信手段を用いて車検業務の依頼が発注されると、管理センターが、当該査定スペースが設置されている店舗内のサービスカウンターに対して車検業務の見積り料金を出力する工程と、
依頼者が、上記店舗内のサービスカウンターにて当該見積り料金の支払いを済ませると、車検料金の支払い済みレシートを発行する工程と、
依頼者が、当該レシートを前記査定スペースのリモートカメラに提示して撮影させるか、又は、当該レシートをＦＡＸ送信するかして、料金の支払いを管理センターに確認させる工程と、
料金の支払いが確認されると、携帯電話又はその他の通信手段を用いて依頼者と管理センターとの間で、当該自動車の引取日、引取場所といった車検業務の具体的内容の決定と確認、及び、確定が成される工程と、
から成ることを特徴とする自動車用業務見積り査定方法。
【請求項２】
無人にて中古自動車の買取査定業務と、見積り業務を行うことができる自動車用業務見積り査定方法であって、
依頼者が、リモートカメラを備えた査定スペース内に買取りを希望する自動車を入場させると共に、管理センターに対して自己の携帯電話、又は、その他の通信手段を用いて自動車買取業務に付いて問い合わせると、管理センターが依頼者に対して当該自動車の車検証を上記査定スペースのリモートカメラに提示するように指示する工程と、
管理センターが、リモートカメラを遠隔的にズームアップ操作して、当該自動車の車体状況と車検証の確認及び記録を行う工程と、
管理センターが、上記リモートカメラで確認した自動車の車体状況と車検証の内容から、買取査定料金を見積る工程と、
見積った買取査定料金を、管理センターが依頼者の携帯電話又はその他の通信手段を用いて、依頼者側に通信する工程と、
依頼者から携帯電話又はその他の通信手段を用いて自動車の販売依頼が発注されると、管理センターと依頼者との間で、携帯電話又はその他の通信手段を用いて当該自動車の引取日、引取場所、料金の入金方法といった買取業務の具体的内容の決定と確認、及び、確定が成される工程と、
から成ることを特徴とする自動車用業務見積り査定方法。
【請求項３】
無人にて自動車の修理代金の見積り業務と、修理業務の請負手続を行うことができる自動車用業務見積り査定方法であって、
依頼者が、リモートカメラを備えた査定スペース内に修理を必要とする自動車を入場させると共に、管理センターに対して自己の携帯電話、又は、その他の通信手段を用いて修理業務に用いて問い合わせると、管理センターが依頼者に対して予め査定スペース側に準備されている見積り用ゲージプレートを車体の修理箇所に装着するように指示する工程と、
管理センターが上記のリモートカメラを遠隔操作して、ゲージプレートが装着された修理箇所をズームアップすることにより、このズームアップ画面から修理すべきキズの大きさ、或いは、凹みの深さを計測して修理料金を見積る工程と、
見積った修理料金を、管理センターが依頼者の携帯電話又はその他の通信手段を通して依頼者側に通信する工程と、
依頼者から、携帯電話又はその他の通信手段を用いて修理業務の依頼が発注されると、管理センターが、当該査定スペースが設置されている店舗用のサービスカウンターに対して修理業務の見積り料金を出力する工程と、
依頼者が、上記店舗内のサービスカウンターで当該見積り料金の支払いを済ませると、修理料金支払い済みレシートを発行する工程と、
依頼者が、当該レシートを前記査定スペースのリモートカメラに提示して撮影させるか、又は、当該レシートをＦＡＸ送信するかして、料金の支払いを管理センターに確認させる工程と、
料金の支払いが確認されると、携帯電話又はその他の通信手段を用いて依頼者と管理センターとの間で、当該自動車の引取日と引取場所の決定と確認、及び、確定が成される工程と、
から成ることを特徴とする自動車用業務見積り査定方法。
【発明の詳細な説明】
【技術分野】
【０００１】
本発明は、自動車の車検や買取り、或いは、キズの修理といった各種業務の見積りや、請負手続等の修理を、全く無人にて査定及び管理することを可能にした自動車用業務見積り査定方法に関するものである。
【背景技術】
【０００２】
自動車の車検を更新する場合や、自動車を販売したい場合、或いは、車体のキズを修理したい場合、従来は、その都度依頼者が自動車を車検工場に持ち込んだり、中古販売会社や修理工場等に持ち込んで、車検のための修理や調節といった各種作業や手続、販売のための各種手続、或いは、修理のための各種作業等を業者側に依頼したり、依頼を受けた工場や業者等が、依頼者の自動車を受け取るために依頼者宅等に出向いたりして、各種業務が進められている。
【発明の開示】
【発明が解決しようとする課題】
【０００３】
しかし、依頼者が直接車検工場や中古販売会社、或いは、修理工場等へ自動車を持ち込むことは甚だ煩雑で時間的に制約を受ける場合もあり、加えて、車検料や販売料金、修理料金が不明な場合は、非常に不安でもあるし、これ等料金の折衝や相談も面倒なため、結局のところ、業者側の言い値通りに成ってしまって、何かと不満が残る問題があった。
【０００４】
一方、業者側にとっても、その都度依頼者宅や依頼会社等へ出向いて自動車を受け取るのでは、作業が非常に煩雑になると共に、修理料金や販売代金の見積りも客との対面交渉になるため、長年の経験と実績が要求されて商売として難しく、また、料金や代金の遣り取りにも何かと問題が発生していた。
【０００５】
そこで本発明の技術的課題は、自動車の車検や販売、或いは、キズの修理に際して、依頼者と業者が直接対面することなく、また、依頼者がわざわざ自動車を工場等へ持ち込んだり、業者が依頼者宅等に出向いたりすることなく、各料金や販売代金を予め納得した額に決めることができると共に、各料金の支払いも前金制にして、明朗会計の基で各業務を進めることを可能にした自動車用業務見積り査定方法を提供することである。
【課題を解決するための手段】
【０００６】
（１）  上記の技術的課題を解決するために、本発明の請求項１に係る発明は、無人にて自動車の車検業務の見積り業務と、車検業務の請負手続を行うことができる自動車用業務見積り査定方法であって、依頼者が、リモートカメラを備えた査定スペース内に車検を必要とする自動車を入場させると共に、管理センターに対して自己の携帯電話又はその他の通信手段を用いて車検業務に付いて問い合わせると、管理センターが依頼者に対して当該自動車の車検証を上記査定スペースのリモートカメラに提示するように指示する工程と、管理センターが、リモートカメラを遠隔的にズームアップ操作して、当該自動車の車体の状況と提示された車検証の確認及び記録を行う工程と、管理センターが、上記リモートカメラで確認した自動車の車体状況と車検証の内容から、車検料金を見積る工程と、見積った車検料金を、管理センターが依頼者の携帯電話又はその他の通信手段を通して依頼者側に通信する工程と、依頼者から携帯電話又はその他の通信手段を用いて車検業務の依頼が発注されると、管理センターが、当該査定スペースが設置されている店舗内のサービスカウンターに対して車検業務の見積り料金を出力する工程と、依頼者が、上記店舗内のサービスカウンターにて当該見積り料金の支払いを済ませると、車検料金の支払い済みレシートを発行する工程と、依頼者が、当該レシートを前記査定スペースのリモートカメラに提示して撮影させるか、又は、当該レシートをＦＡＸ送信するかして、料金の支払いを管理センターに確認させる工程と、料金の支払いが確認されると、携帯電話又はその他の通信手段を用いて依頼者と管理センターとの間で、当該自動車の引取日、引取場所といった車検業務の具体的内容の決定と確認、及び、確定が成される工程と、から成ることを特徴としている。
【０００７】
（２）  また、本発明の請求項２に係る発明は、無人にて中古自動車の買取査定業務と、見積り業務を行うことができる自動車用業務見積り査定方法であって、依頼者が、リモートカメラを備えた査定スペース内に買取りを希望する自動車を入場させると共に、管理センターに対して自己の携帯電話、又は、その他の通信手段を用いて自動車買取業務に付いて問い合わせると、管理センターが依頼者に対して当該自動車の車検証を上記査定スペースのリモートカメラに提示するように指示する工程と、管理センターが、リモートカメラを遠隔的にズームアップ操作して、当該自動車の車体状況と車検証の確認及び記録を行う工程と、管理センターが、上記リモートカメラで確認した自動車の車体状況と車検証の内容から、買取査定料金を見積る工程と、見積った買取査定料金を、管理センターが依頼者の携帯電話又はその他の通信手段を用いて、依頼者側に通信する工程と、依頼者から携帯電話又はその他の通信手段を用いて自動車の販売依頼が発注されると、管理センターと依頼者との間で、携帯電話又はその他の通信手段を用いて当該自動車の引取日、引取場所、料金の入金方法といった買取業務の具体的内容の決定と確認、及び、確定が成される工程と、から成ることを特徴としている。
【０００８】
（３）  更に本発明の請求項３に係る発明は、無人にて自動車の修理代金の見積り業務と、修理業務の請負手続を行うことができる自動車用業務見積り査定方法であって、依頼者が、リモートカメラを備えた査定スペース内に修理を必要とする自動車を入場させると共に、管理センターに対して自己の携帯電話、又は、その他の通信手段を用いて修理業務に用いて問い合わせると、管理センターが依頼者に対して予め査定スペース側に準備されている見積り用ゲージプレートを車体の修理箇所に装着するように指示する工程と、管理センターが上記のリモートカメラを遠隔操作して、ゲージプレートが装着された修理箇所をズームアップすることにより、このズームアップ画面から修理すべきキズの大きさ、或いは、凹みの深さを計測して修理料金を見積る工程と、見積った修理料金を、管理センターが依頼者の携帯電話又はその他の通信手段を通して依頼者側に通信する工程と、依頼者から、携帯電話又はその他の通信手段を用いて修理業務の依頼が発注されると、管理センターが、当該査定スペースが設置されている店舗用のサービスカウンターに対して修理業務の見積り料金を出力する工程と、依頼者が、上記店舗内のサービスカウンターで当該見積り料金の支払いを済ませると、修理料金支払い済みレシートを発行する工程と、依頼者が、当該レシートを前記査定スペースのリモートカメラに提示して撮影させるか、又は、当該レシートをＦＡＸ送信するかして、料金の支払いを管理センターに確認させる工程と、料金の支払いが確認されると、携帯電話又はその他の通信手段を用いて依頼者と管理センターとの間で、当該自動車の引取日と引取場所の決定と確認、及び、確定が成される工程と、から成ることを特徴としている。
【０００９】
上記（１）で述べた手段によれば、わざわざ依頼者が車検工場に出向いたり、反対に業者が依頼者宅等に出向いたりしなくても、例えば、スーパーやガソリンスタンド等の駐車場等に設置された専用の査定スペースに依頼者が自動車を持ち込めば、自動車の車検業務を、管理センターに常駐する専門の係員がリモートカメラを遠隔的に操作して、車体の状況や車検証をズームアップしたり角度を変えたりしながら査定することができるため、対面折衝に煩わされることなく、車検料金を正確に、且つ、簡単に見積ることができ、また、依頼者はこの見積り料金に満足した場合にのみ、車検依頼を発注して料金をサービスカウンターのレジに支払えば済むため、料金に関する問題が発生することがなく、業者も料金前払いの明朗会計の基で、車検業務を安心して請負うことができる。
【００１０】
上記（２）と（３）で述べた手段によれば、自動車の買取りとキズ等の修理も、上記（１）で述べた車検業務の場合と同様に、依頼者がスーパーやガソリンスタンド等に設置された査定スペースに自動車を持ち込むだけで、買取額の査定及び修理料金が査定されて見積りが出るため、依頼者と業者相方の手間を簡略化して、明朗会計のもとで自動車の買取りとキズ等の修理を安心して依頼し、また、請負うことを可能にする。
【発明の効果】
【００１１】
以上述べた次第で、本発明に係る自動車用業務見積り査定方法によれば、自動車の車検業務や買取査定業務及び修理査定業務と、これ等各業務の見積りを、依頼者がわざわざ自動車を各工場等に持ち込んだり、或いは、業者が自動車を受け取るためにわざわざ依頼人宅等に出向いたりする前に、依頼人が例えばスーパーやガソリンスタンド等の駐車場に設置された査定スペース（査定ステーション）に自動車を持ち込むことにより、実行可能と成るものであって、依頼者にとっては予め各業務の料金や販売代金が解っているため、安心して各業務を業者に委託することができ、また、業者にとっては各料金が予め精算済みであったり、買取料金が決定済みであったりするため、明朗会計の基で安心して各業務を進めることができる利点を備えている。
【００１２】
更に本発明によれば、駐車場の空きスペースにリモートカメラを備えた査定スペース（査定ステーション）を設けるだけの比較的簡単な設備によって、自動車の車検、買取り、修理の各ビジネスを代行できるため、スーパーやガソリンスタンドといった各種店舗側にも多大なメリットが生じる利点を有している。
【発明を実施するための最良の形態】
【００１３】
以下に、上述した本発明に係る自動車用業務見積り査定方法の実施の形態を、図面と共に説明すると、図１は本発明で使用する査定スペース（査定ステーション）の一例を示した斜視図であって、図中、符号１００で全体的に示した査定スペースは、複数本のパイプを用いて自動車ＭＴを入庫（入場）可能にした簡易ハウス状に組立てられていて、例えば、スーパーやガソリンスタンド、或いは、ホームセンターといった各種店舗の駐車場等の空きスペースを利用して、容易に設置できる仕組みに成っている。
【００１４】
１１０…は、上記査定スペース１００の前後、左右に設けた計４台のリモートカメラで、後述する管理センターから遠隔操作可能に構成したこれ等各リモートカメラ１１０…は、いずれもズーム操作及び首振り操作可能に構成され、且つ、左右のリモートカメラ１１０、１１０は、査定スペース１００の両サイドに架設したガイドレール１０１，１０１に沿って横移動操作自在に構成されていて、これ等計４台のリモートカメラ１１０…を遠隔操作することにより、スペース内に入庫させた自動車ＭＴの外観や、ボンネットを開いたエンジンの様子、ドアーを開いた自動車内部の様子、車体のキズの様子、及び、依頼者が提示した車検証や運転免許証、並びに、支払い済みレシートや依頼者自身の顔等のズームアップ画像を、管理センター側のモニター画面に映して確認したり、記録できるように構成されている。
【００１５】
図２は、本発明の全体を説明した構成図であって、図中、１１１は査定スペース１００側に設けた管理用ＰＣ、１１２は自動車ＭＴを持ち込んだ依頼者の携帯電話機、又は、査定スペース１００に予め設置されている専用の電話機、１１５は自動車専門の熟練した係員が常駐する管理センターで、１１５Ａは管理センター１１５に設置したモニター画面を備えた端末機、１１４は管理センター１１５の管理用ＰＣ、１１６はスーパーやガソリンスタンド、或いは、ホームセンターといった各種店舗のサービスカウンター（レジ）、１１６Ａはサービスカウンター１１６に設置した端末機、１１３は上述した査定スペース１００と依頼者の携帯電話機又は専用の電話機１１２、及び、管理センター１１５と各店舗のサービスカウンター１１６の間を結ぶ電話回線網を示す。
【００１６】
以上の構成によれば、管理センター１１５の係員と依頼者との間は、端末機１１５Ａと依頼者の携帯電話機又は専用の電話機１１２とを用いて電話回線網１１３を介してコミニュケーションをとることができる。また、管理センター１１５の係員は、端末機１１５Ａを操作することにより、電話回線網１１３を介して各リモートカメラ１１０…を遠隔操作したり、各リモートカメラ１１０が撮影した画像データをモニター画面に映して、これをメモリーに取り込むことができ、更に、これ等画像データに従って係員が端末機１１５Ａを操作して作成した車検料金や修理料金、或いは、買取り金額の見積り（見積書）を、電話回線網１１３を介して依頼者の携帯電話機又は専用の電話機１１２に送信することができる。
【００１７】
また、管理センター１１５の係員は、依頼者から携帯電話機又は専用の電話機１１２及び電話回線網１１３を介して車検、買取り、或いは、修理の発注を受けると、車検及び修理の場合は、端末機１１５Ａを操作して作成済みの見積り（見積書）を直接又は電話回線網１１３を介してサービスカウンター１１６の端末機１１６Ａに通信すると共に、依頼者の携帯電話機又は専用の電話機１１２に対して、車検又は修理の料金をサービスカウンター１１６に行って精算し、その後、携帯電話機又は専用の電話機１１２で清算済みを連絡して、受け取った支払い済みレシートをリモートカメラ１１０に提示するように通話及び画面表示によって指示する。
【００１８】
以上の如く、支払い済みレシートを依頼者がリモートカメラ１１０に提示して、管理センター１１５の係員がこれを確認すると、以後は、係員と依頼者の間で自動車ＭＴの引取日と引取場所を電話で取り決めて、車検又は修理の業務契約が完了するが、必要な場合は、この契約文書の下書き等を管理センター１１５の端末機１１５Ａを用いて作成し、これを依頼者の携帯電話機１１２に送信しておいて、後日、正式な契約書を取り交わすようにしてもよい。
【００１９】
一方、自動車ＭＴの買取り業務の場合は、管理センター１１５側で提示した買取り金額を、依頼者側がＯＫした場合に契約が成立し、以後は、係員と依頼者との間で携帯電話機又は専用の電話機１１２を介して自動車ＭＴの引取日と引取場所、及び、買取り代金の送金方法等を打ち合わせると共に、必要な場合は、この契約文書の下書き等を管理センター１１５の端末機１１５Ａを用いて作成し、これを依頼者の携帯電話機１１２に送信しておいて、後日、正式な契約書を取り交わすようにしてもよい。
【００２０】
図３は、自動車ＭＴの修理箇所（キズの部分）に、管理センター１１５からの指示に従って依頼者がキズの大きさと深さを測定する見積り用のゲージプレート１を装着して、これを、管理センター１１５側がリモートカメラ１１０をズーム操作して撮影している状態を示したものであって、以下に上記ゲージプレート１の構成を図４乃至図６の記載に基づいて説明することにする。
【００２１】
図４は、ゲージプレートの一例を示した斜視図であって、符号１で全体的に示したゲージプレートの本体は、マグネットラバーで略板状に造った吸着板１０の中央部分に、比較的大きな計測穴１１を開口形成し、この計測穴１１を吸着板１０の上面に接着した透明な合成樹脂板（例えば塩化ビニールやポリエチレン系樹脂等）で造った計測板２０で塞ぐことによって構成される。尚、図中３０…は上記吸着板１０の磁力を補強する目的で、当該吸着板１０の四隅に必要に応じて取付けた磁石である。
【００２２】
自動車の車体の如何なる部位にも吸着できるように構成した上記マグネットラバー製の吸着板１０は、ゴム樹脂、塩化ビニール、ポリエチレン系樹脂並びにポリオレフィン系樹脂のいずれかと、磁性材料とを混合して生成される成形材料を用いて形成され、計測板２０はポリエチレン系樹脂等の合成樹脂板を用いて構成されている。吸着板１０と計測板２０は同一の矩形状（正方形）に形成されていて、これ等２枚の板１０、２０を上下一体に張り合わせることによって、ゲージプレート１の本体が構成されているが、これ等両板１０，２０の全体を円形状や三角形状に造ってもよく、また、計測板２０は計測穴１１を塞ぐだけの大きさに造ってもよく、その選択は任意とする。
【００２３】
２０Ｔは、上記ゲージプレート１の本体を損傷を受けた部位の車体面に吸着させた時に、透明な合成樹脂板で造った計測板２０と、吸着板１０に開口した計測穴１１を透して当該損傷箇所を上面側より目視確認することができる計測部で、この計測部２０Ｔの計測板２０には、直径が２０ｃｍと、１５ｃｍ、１０ｃｍ、５ｃｍのゲージ用の各サークルライン２１Ａ、２１Ｂ、２１Ｃ、２１Ｄが、その直径寸法数字と共に同心円状に表示されている。
【００２４】
２２Ａ、２２Ｂ、２２Ｃ、２２Ｄは、上記同心円状に表示されたゲージ用のサークルライン２１Ａ、２１Ｂ、２１Ｃ、２１Ｄの各ライン上に夫々穿孔された計測用小孔であって、これ等各計測用小孔２２Ａ〜２２Ｄは、各サークルライン２１Ａ〜２１Ｄ毎に回転方向に９０度間隔で計４列形成されているが、これは実施の一例であって、その列数の増減は任意である。
【００２５】
上述した各計測用小孔２２Ａ〜２２Ｄの夫々には、丁度ゴルフのボール用ティーの如き形状に造られた計測用突子体４０が差込自在に構成されている。図中、４０Ｔは計測用突子体４０のヘッド、４０Ａと４０Ｂは当該突子体４０の先端部と根端部であって、これ等先端部４０Ａと根端部４０Ｂは異なる色に着色されていて、異なる色の境界線部分が仕切りライン４０’に成っている。
【００２６】
図５と図６は、上述したゲージプレート１を損傷５０Ｘ、５０Ｚを受けた車体５０の部位に吸着して、損傷５０Ｘと５０Ｚの大きさと深さを計測している状態を示したものであって、図５の如く計測用小孔２２Ａ〜２２Ｄに差し込んだ計測用突子体４０の先端が損傷５０Ｘの底に当たった時点で、前述した仕切りライン４０’が計測用小孔２２Ａ〜２２Ｄの外（上側）に位置する場合は、上記損傷５０Ｘの深さが「２０ｍｍ以内」と測定し、図６の如く上記仕切りライン４０’が計測用小孔２２Ａ〜２２Ｄの中（内部）に入ってしまった場合は、当該損傷５０Ｚの深さを「２０ｍｍ以上」と測定するように構成されていて、「２０ｍｍ以内」の場合は補修とし、「２０ｍｍ以上」の場合は部品交換として、夫々修理料金が見積られる。
【００２７】
図７に示したステップＳ１〜ステップＳ１３は、図１及び図２に示されているようなシステムを用いて、自動車の車検業務を行う場合の手順を説明したフローチャートで、図８に示したステップＳ２１〜ステップＳ２９は、同じく図１及び図２に示したシステムを用いて、自動車の買取査定業務を行う場合の手順を説明したフローチャートであり、また、図９に示したステップＳ３１〜ステップＳ４４は、同じく図１及び図２に示したシステムと、図３乃至図６に示されているゲージプレート１を用いて、自動車のキズ、凹みの修理業務を行う場合の手順を説明したフローチャートであって、これ等図７、図８、図９に示された手順に従って各作業を進めることによって、自動車車検業務と自動車買取査定業務及び自動車キズ・凹み補修業務を、明朗会計の基で簡単に、且つ、正確に済ませることができる。
【図面の簡単な説明】
【００２８】
【図１】本発明に係る自動車用業務見積り査定方法を実施する場合に用いる査定スペースの一例を示した斜視図。
【図２】本発明に係る自動車用業務見積り査定方法を実施するシステムの全体を説明した構成図。
【図３】自動車のキズの部分に装着されたゲージプレートの部分をリモートカメラで撮影している状態を示した説明図。
【図４】本発明で用いるゲージプレートの一例を示した斜視図。
【図５】図４に示したゲージプレートを用いて比較的浅いキズを計測している状態を示した断面図。
【図６】図４に示したゲージプレートを用いて比較的深いキズを計測している状態を示した断面図。
【図７】本発明を自動車車検業務に用いた場合の手順を説明したフローチャート。
【図８】本発明を自動車買取業務に用いた場合の手順を説明したフローチャート。
【図９】本発明を自動車のキズ、凹み補修業務に用いた場合の手順を説明したフローチャート。
【符号の説明】
【００２９】
１            ゲージプレート
４０          計測用突子体
ＭＴ          自動車
１００        査定スペース（査定ステーション）
１１０        リモートカメラ
１１２        依頼者の携帯電話機
１１３        電話回線網
１１５        管理センター
１１６        サービスカウンター
【図１】
2006221311.tif 000003
【図２】
2006221311.tif 000004
【図３】
2006221311.tif 000005
【図４】
2006221311.tif 000006
【図５】
2006221311.tif 000007
【図６】
2006221311.tif 000008
【図７】
2006221311.tif 000009
【図８】
2006221311.tif 000010
【図９】
2006221311.tif 000011